(57)【要約】【課題】  建物の壁面に箱体を上下逆さまに取着した時でも箱体を取り外す必要がなく内器ブロックを上下反転せずにそのまま箱体に取着することができる住宅用分電盤を提供する。【解決手段】  ハンドル４ｂ，５ｂの操作方向を上下方向としてブレーカ４及び分岐ブレーカ５を左右方向に並設した内器ブロック１を取り付ける取付部（２０，２４），（２１，２５），（２２，２３）は、それぞれ箱体２の中心位置Ａから上下左右の対称位置に形成し、これら対称位置にある一対の取付部（２０，２４），（２１，２５），（２２，２３）をそれぞれ同一形状に形成している。【選択図】図１
2005102382.tif 000002
【特許請求の範囲】
【請求項１】
各々ハンドル突部から突出するハンドルの操作方向を上下方向として主幹ブレーカ及び分岐ブレーカを左右方向に並設した内器ブロックと、この内器ブロックを取り付ける複数の取付部を有した底板及びこの底板の四周から立設した側板により前面に開口を有する形状に形成され、各ハンドルを前面側として内器ブロックを収納する箱体と、ハンドル突部が嵌合する窓孔を有して箱体の開口口縁に取着される蓋体と、を備えた住宅用分電盤において、
前記取付部を箱体の中心位置から上下左右の対称位置に形成し、該対称位置にある取付部同士を同一形状に形成したことを特徴とする住宅用分電盤。
【請求項２】
前記箱体の側板のうち、上下方向の一対の側板に、電線挿通用のノックアウト孔を設けたことを特徴とする請求項１記載の電気部品収容ケース。
【請求項３】
前記箱体は、その中心位置から上下左右で対称に形成されたことを特徴とする請求項１又は請求項２記載の住宅用分電盤。
【発明の詳細な説明】
【技術分野】
【０００１】
本発明は、各ハンドルの操作方向を上下方向として主幹ブレーカ及び分岐ブレーカを左右方向に並設した住宅用分電盤に関するものである。
【背景技術】
【０００２】
従来から、特開２００1−１５７３２１号公報に示される如く、住宅用分電盤としては、各ハンドルの操作方向を上下方向として主幹ブレーカ及び分岐ブレーカを左右方向に並設したものが一般的である。この住宅用分電盤は、図５及び図６に示すように、ハンドル突部４ａ，5ａから突出する各ハンドル４ｂ，５ｂの操作方向を上下方向として主幹ブレーカ４及び分岐ブレーカ５，５，５，・・・を左右方向に並設した内器ブロック１と、この内器ブロック１を取付ける取付部８，９，１０，１１を含む底板６及びこの底板６の四周から立設した側板７により前面に開口を有する形状に形成され、各ハンドル４ｂ，５ｂを前面側として内器ブロック１を取着する箱体２と、ハンドル突部４ａ，５ａが嵌合する窓孔３ａ，３ｂを有して箱体２の開口口縁に取着される蓋体３とを備えたものである。
【０００３】
内器ブロック１は、主幹ブレーカ４及び分岐ブレーカ５を左右方向に並設したブレーカ取付部材１３と、このブレーカ取付部材１３の主幹ブレーカ４側に中間取付台１４を介して連設される木板取付部材１５とを有している。ブレーカ取付部材１３は板状の金属にて形成され、その左右方向両端側には、上面側からねじを挿通させて箱体２の取付部８と中間取付台１４とにブレーカ取付部材１３を取付けるねじ挿通用のダルマ孔１３ａ，１３ｂが形成されている。中間取付台１４は、合成樹脂により形成され、上面にブレーカ取付部材１３をねじで取付けるとともに、ブレーカ取付部材１３とは反対側の側面に形成された取付孔（図示せず）に木板取付部材１５を嵌め込み、長手方向両端側が箱体２の取付部１０，１１にねじで取付けられるものである。木板取付部材１５は、合成樹脂により中央に木板１６を嵌合させる凹所を有した形状に形成され、一端側が中間取付部材１４に取付けられるとともに他端側が箱体２の取付部９に取付けられる。
【０００４】
箱体２は、中央部に電線挿通孔１７を有し、この電線挿通孔１７の左右方向両側であってブレーカ取付部材１３及び木板取付部材１５を取付けるための取付部８，９と、電線挿通孔１７の上下方向両側であって電線挿通孔１７の孔縁に沿って中間取付台１４を取付けるための取付部１０，１１とが形成された底板６と、この底板６の四周から前面側に立設した側板７とにより前面に開口を有する形状に形成されている。取付部８は、上下方向で並設する形で底板６から前面側に立設した一対の支柱８ａ，８ｂであり、取付部９は、上下方向で並設する形で底板とほぼ同一高さ位置に形成された一対のボス９ａ，９ｂである。これら取付部８，９は、それぞれ上側の取付部８ａ，９ａ及び上側の側板７ａ間の方が下側の取付部８ｂ，９ｂ及び下側の側板７ｂ間よりも広くなる位置に形成され、内器ブロック１を若干箱体２の下側に取付けるようにしている。取付部１０，１１は、左右方向に等間隔で中間取付台１４をねじで取付けるための孔１０ａ，１０ａ，・・・，１１ａ，１１ａ，・・・が形成されており、取付られる分岐ブレーカ５，５，・・・の数に応じて中間取付台１４をどの位置にでも取り付けることができるようになっている。なお、１２は中間取付台１４と木板取付部材１５とを省いてブレーカ取付部材１３のみを取付ける時に用いる取付部であり、ブレーカ取付部材１３のダルマ孔１３ｂにねじを挿通させてブレーカ取付部材１３を直接取付けることができるようになっている。また、７１は電線挿通用のノックアウト孔であり、必要に応じて工具で叩いて切断することができるようになっている。
【０００５】
蓋体３は、各ブレーカ４，５の各ハンドル突部４ａ，５ａが嵌合する窓孔３ａ，３ｂを有して箱体２の開口口縁に取着される蓋本体１８と、この蓋本体１８に回動自在に取着された扉１９とで形成され、箱体２の開口口縁に合わせて取着される。
【０００６】
ここで、住宅用分電盤にあっては、建物の壁面に取着する際、建物内に導出される電線を箱体内に挿通させ易くするため、箱体から内器ブロック及び蓋体を一旦外して箱体のみを先に取付けるため、建物の壁面に箱体を間違って上下逆さまに取着してしまう恐れがある。上述した住宅用分電盤にあっては、取付部８は、上下方向で並設する形で底板６から前面側に立設した一対の支柱８ａ，８ｂであり、取付部９は、上下方向で並設する形で底板とほぼ同一高さ位置に形成された一対のボス９ａ，９ｂであるので、取付部８と取付部９との形状が異なり、内器ブロック１を箱体２同様逆さまにしないと内器ブロック１を箱体２に取付けることができない。このため、箱体２を建物の壁面から外して取着し直さなければならない。なお、中間取付台１４及び木板取付部材１５を用いず、ブレーカ取付部材１３のダルマ孔１３ｂにねじを挿通させてブレーカ取付部材１３を直接取付部１２に取付ける場合、建物の壁面に箱体２を上下逆さまに取着した時でも内器ブロック１を上下逆さまにせずに取付けできるようにも見えるが、内器ブロック１を若干箱体２の下側に取付けるようになっているので、建物の壁面に箱体２を上下逆さまに取着してしまうと蓋体３の窓孔３ａにブレーカ５のハンドル突部４ａ，５ａを嵌合させることができず、やはり、一度箱体２を建物の壁面から外して取着し直さなければならないという問題があった。
【特許文献１】特開２００１−１５７３２１号公報
【発明の開示】
【発明が解決しようとする課題】
【０００７】
本願発明は、上記背景技術に鑑みて発明されたものであり、その課題は、建物の壁面に箱体を上下逆さまに取着した時でも箱体を取り外す必要がなく内器ブロックを上下反転せずにそのまま箱体に取着することができる住宅用分電盤を提供することである。
【課題を解決するための手段】
【０００８】
上記課題を解決するために、本願の請求項１記載の住宅用分電盤は、各々ハンドル突部から突出するハンドルの操作方向を上下方向として主幹ブレーカ及び分岐ブレーカを左右方向に並設した内器ブロックと、この内器ブロックを取り付ける複数の取付部を有した底板及びこの底板の四周から立設した側板により前面に開口を有する形状に形成され、各ハンドルを前面側として内器ブロックを収納する箱体と、ハンドル突部が嵌合する窓孔を有して箱体の開口口縁に取着される蓋体と、を備えた住宅用分電盤において、前記取付部を箱体の中心位置から上下左右の対称位置に形成し、該対称位置にある取付部同士を同一形状に形成した構成としてある。
【０００９】
本願の請求項２記載の住宅用分電盤は、請求項１のものの箱体の側板のうち、上下方向の一対の側板に、電線挿通用のノックアウト孔を設けた構成としてある。
【００１０】
本願の請求項３記載の住宅用分電盤は、請求項１又は請求項２のものの箱体は、その中心位置から上下左右で対称に形成された構成としてある。
【発明の効果】
【００１１】
本願の請求項１記載の住宅用分電盤においては、箱体を建物の壁面に上下逆さまに配設した場合であっても、箱体を建物の壁面に上下間違えなく配設した時に対して箱体の各側板からの各取付部の位置が変わらず、そのまま内器ブロックを正規方向に取付けることができるので、建物の壁面に箱体を上下逆さまに取着した時でも箱体を取り外す必要がなく内器ブロックを上下反転せずにそのまま箱体に取着することができる。
【００１２】
本願の請求項２記載の住宅用分電盤においては、建物の天井側（床側）から電線がきており、箱体の上面側（下面側）から箱体内に電線を挿通させる場合、建物の壁面に箱体を上下逆さまに取付けたときでも電線を箱体の上面側（下面側）から挿通させることができることとなり、請求項１の効果に加え、箱体を上下間違えて取付けた場合でも電線の引き回し作業が容易となる。
【００１３】
本願の請求項３記載の住宅用分電盤においては、建物の壁面に箱体を取着する際、箱体の上下を全く気にする必要がなく取着することができ、請求項１又は請求項２の効果に加え、箱体を建物の壁面に取着する作業が容易となる。
【発明を実施するための最良の形態】
【００１４】
（実施形態１）
本願の請求項１に対応した実施形態１の住宅用分電盤を図１乃至図３に基づいて説明する。なお、背景技術と基本的機能が同一の部材については同じ符号を付している。この実施形態の住宅用分電盤は、ハンドル突部４ａ，５ａから突出する各ハンドル４ｂ，５ｂの操作方向を上下方向として主幹ブレーカ４及び分岐ブレーカ５，５，５，・・・を左右方向に並設した内器ブロック１と、この内器ブロック１を取付ける取付部２０，２１，２２，２３，２４，２５を含む底板６及びこの底板６の四周から立設した側板７により前面に開口を有する形状に形成され、各ハンドル４ｂ，５ｂを前面側として内器ブロック１を取着する箱体２と、ハンドル突部４ａ，５ａが嵌合する窓孔３ａ，３ｂを有して箱体２の開口口縁に取着される蓋体３とを備えたものである。
【００１５】
内器ブロック１は、主幹ブレーカ４及び各分岐ブレーカ５，５，５，・・・を左右方向に並設したブレーカ取付部材１３と、このブレーカ取付部材１３における主幹ブレーカ４と分岐ブレーカ５との間を支持して取付部２２，２３に取着される第１の中間取付台１４ａと、ブレーカ取付部材１３の主幹ブレーカ４側を支持して取付部２２，２３に取着される第２の中間取付台１４ｂと、この第２の中間取付台１４ｂの側面に形成された取付孔（図示せず）に係合させた状態で取付部２１（２５）に取着される木板取付部材１５とを有している。
【００１６】
ブレーカ取付部材１３は分岐ブレーカ５，５，５，・・・を配設して一端側が取付部２０（２４）にねじ２８にて取着される一対のフレーム２６，２６と、主幹ブレーカ４を配設して一端側が一対のフレームの他端側とともに第１の中間取付台１４ａにねじ２９にて取着される基板２７とを有している。第１の中間取付台１４ａは、合成樹脂により形成され、上面に一対のフレーム２６，２６及び基板２７を取着し、長手方向両端側が箱体２の取付部２２，２３にねじ３０，３１で取付られる。
【００１７】
第２の中間取付台１４ｂは、第１の中間取付台１４ａ同様、合成樹脂により形成され、上面に基板２７の他端側をねじ３２，３２で取付けるとともに、基板２７とは反対側の側面に形成された取付孔（図示せず）に木板取付部材１５を嵌め込み、長手方向両端側が箱体２の取付部２２，２３にねじ３３，３４で取付けられるものである。木板取付部材１５は、合成樹脂により中央に木板１６を嵌合させる凹所を有した形状に形成され、一端側が第２の中間取付部材１４ｂに取付けられるとともに他端側が箱体２の取付部２１，２１にねじ３５，３５で取付けられる。
【００１８】
箱体２は、中央部に電線挿通孔１７を有し、この電線挿通孔１７の左右方向両側であってブレーカ取付部材１３及び木板取付部材１５を取付けるための取付部２０（２４），２１（２５）と、電線挿通孔１７の上下方向両側であって電線挿通孔１７の孔縁に沿って各中間取付台１４ａ，１４ｂを取付けるための取付部２２，２３とが形成された底板６と、この底板６の四周から前面側に立設した側板７とにより前面に開口を有する形状に形成されている。
【００１９】
取付部２０（２４）は、上下方向で並設する形で底板６から前面側に立設した一対の支柱２０ａ（２４ａ），２０ｂ（２４ｂ）であり、取付部２１（２５）は、上下方向で並設する形で底板６とほぼ同一高さ位置に形成された一対のボス２１ａ（２５ａ），２１ｂ（２５ｂ）である。これら取付部２０（２４），２１（２５）は、取付部２０と取付部２４とが箱体２の中心位置Ａから上下左右の対称位置、かつ、同一形状に形成され、取付部２１と取付部２５とが箱体２の中心位置Ａから上下左右の対称位置、かつ、同一形状に形成されているのである。
【００２０】
取付部２２，２３は、左右方向で等間隔に第１及び第２の中間取付台１４ａ，１４ｂをねじ３０，３１，３２，３３で取付けるための孔２２ａ，２２ａ，・・・，２３ａ，２３ａ，・・・が形成されており、取付けられる分岐ブレーカ５，５，・・・の数に応じて中間取付台１４ａ，１４ｂをどの位置にでも取り付けることができるようになっている。これら取付部２２，２３は、箱体２の中心位置Ａから上下左右の対称位置、かつ、同一形状に形成されている。なお、７１は電線挿通用のノックアウト孔であり、必要に応じて工具で叩いて切断することができるようになっており、７２は、各取付部同様、箱体２の中心位置Ａから上下左右の対称位置となる側板７に配設されて蓋体３を係止するための係止部である。
【００２１】
これらの取付部の構造により、図１に示すように、作業者が間違えず建物の壁面（図示せず）にノックアウト孔７１を上側として箱体２を取着した場合には、内器ブロック１は取付部２０，２１，２２，２３に取着でき、図２に示すように、作業者が間違えて建物の壁面（図示せず）にノックアウト孔７１を下側として箱体２を取着した場合には、内器ブロック１は取付部２４，２５，２３，２２に取着できるようになっている。つまり、建物の壁面に箱体２を上下逆さまに取着した時でも箱体２を建物の壁面から取り外す必要がなく内器ブロック１を上下反転せずにそのまま箱体２に取着することができるのである。
【００２２】
また、このように作業者が間違えず建物の壁面に箱体２を取着した場合と、作業者が間違えて箱体２を上下逆さまに取着した場合とで、内器ブロック１の位置が全く同じ位置となるので、建物の壁面に箱体２を上下逆さまに取着した時でも主幹ブレーカ４のハンドル突部４ａが蓋体３の窓孔３ａに、分岐ブレーカ５，５，・・・のハンドル突部５ａが蓋体３の窓孔３ｂにそれぞれ嵌合することとなる。そして、同じく箱体２の中心位置Ａから上下左右の対称位置となる側板７に蓋体３を係止する係止部７２が配設されているので、蓋体３も箱体２にそのまま取着することができるようになっている。
【００２３】
蓋体３は、図３に示すように、各ブレーカ４，５の各ハンドル突部４ａ，５ａが嵌合する窓孔３ａ，３ｂを有して箱体２の開口口縁に取着される蓋本体１８と、この蓋本体１８に回動自在に取着された扉１９とで形成され、箱体２の開口口縁に合わせた状態で取着される。つまり、箱体２の開口口縁に配設された４つの係止部７２，７２，７２，７２に係止されるようになっている。
【００２４】
（実施形態２）
本願の請求項１〜３に対応した実施形態２の住宅用分電盤を図４に基づいて説明する。実施形態１と異なる点は、電線挿通用のノックアウト孔７１，７３を対向する上下方向の一対の側板７ａ，７ｂに各々設けた点と、箱体２自身をその中心位置Ａから上下左右で対称に形成した点とであり、これについて説明する。
【００２５】
すなわち、図４に示すように、ノックアウト孔７１，７３は、箱体２の上下の側板７ａ，７ｂに各々形成されており、箱体２の上面側（下面側）から箱体２内に電線を挿通させる場合、建物の壁面に箱体２を上下逆さまに取付けたときでも電線を箱体２の上面側（下面側）から挿通させることができることとなり、箱体２を上下間違えて取付けた場合でも電線の引き回し作業が容易となる。
【００２６】
そして、ノックアウト孔７１，７３自身も（形や大きさを同一として）箱体２の中心位置Ａから上下左右の対称位置に形成されており、箱体２自身をその中心位置Ａから上下左右で対称に形成しているので、建物の壁面に箱体２を取着する際、箱体２の上下を全く気にする必要がなく取着することができ、箱体２を建物の壁面に取着する作業が容易となる。
【図面の簡単な説明】
【００２７】
【図１】本願発明の実施形態1である住宅用分電盤の箱体を示す正面図である。
【図２】図１のものの箱体を建物の壁面に上下逆さまに取着した状態を示す正面図である。
【図３】図１のものに蓋体を取着した状態を示す正面図である。
【図４】本願発明の実施形態２である住宅用分電盤の箱体を示す正面図である。
【図５】従来例を示す住宅用分電盤の箱体を示す正面図である。
【図６】図５のものに蓋体を取着した状態を示す正面図である。
【符号の説明】
【００２８】
１  内器ブロック
２  箱体
３  蓋体
３ａ 窓孔
４  主幹ブレーカ
４ａ  ハンドル突部
５  分岐ブレーカ
５ａ  ハンドル突部
６  底板
７  側板
２０  取付部
２１  取付部
２２  取付部
２３  取付部
２４  取付部
２５  取付部
Ａ  箱体の中心位置
【図１】
2005102382.tif 000003
【図２】
2005102382.tif 000004
【図３】
2005102382.tif 000005
【図４】
2005102382.tif 000006
【図５】
2005102382.tif 000007
【図６】
2005102382.tif 000008